(57)【要約】      （修正有）【課題】鎌形であるなしに拘わらずデッドボルトの出入りを確実に検出できるドアロック装置の施錠状態検出装置の提供。【解決手段】警備システムが設けられた建物におけるドアロック装置のストライクボックスに設けられ、ドアロック装置のデッドボルトがストライクボックス内に出入りすることを検出する施錠状態検出装置において、デッドボルトが接、離することにより警備システムにドアロック装置の施錠状態を示す舌片状弾性導電材１０３と、ストライクボックスにおけるドアに対向する面の背後に配されて前記舌片状弾性導電材を支持する台座１０４とを有する施錠状態検出手段を備えた。【選択図】図３
2008174937.tif 000002
【特許請求の範囲】
【請求項１】
警備システムが設けられた建物におけるドアロック装置のストライクボックスに設けられ、前記ドアロック装置のデッドボルトが前記ストライクボックス内に出入りすることを検出する施錠状態検出装置において、
前記デッドボルトが接、離することにより前記警備システムに前記ドアロック装置の施錠状態を示す舌片状弾性導電材と、前記ストライクボックスにおける前記ドアに対向する面の背後に配されて前記舌片状弾性導電材を支持する台座とを有する施錠状態検出手段をそなえた
ことを特徴とするドアロック装置の施錠状態検出装置。
【請求項２】
請求項1記載のドアロック装置の施錠状態検出装置において、
前記舌片状弾性導電材は、前記デッドボルトが狭い幅のものであっても検出できるように、それぞれ内方突出量の異なる複数の舌片により構成されたことを特徴とするドアロック装置の施錠状態検出装置。
【請求項３】
請求項２記載の、ドアロック装置の施錠状態検出装置において、
前記舌片状弾性導電材は、弾性金属が前記デッドボルトの進入位置に向かって折り曲げられた対をなす電極であり、前記デッドボルトが前記ストライクボックス内に進入したとき当該デッドボルトにより押圧されて屈曲し前記対の間が電気的に接続される
ことを特徴とするドアロック装置の施錠状態検出装置。
【発明の詳細な説明】
【技術分野】
【０００１】
本発明は、ドアロック装置の施錠状態検出装置に係り、とくに機械式警備システムを利用する上で警備システムの作動点検条件を与えるための施錠状態検出装置に関する。
【背景技術】
【０００２】
機械警備システムを利用した警備方式では、例えば会社が無人になるときに警備システムを作動させて機械による警備状態とし、従業員が出社したら作動停止させる。そのため、全員退社時に警備システムの作動スイッチをオンにして室内を機械警備下に置き、誰かが出社した際に作動スイッチをオフにする。
【０００３】
しかしながら、実際の警備行動では、想定外の事態が生じる。すなわち、ときに警備システムをオフにせずに入室した結果、警備システムは異常があるものとして警報を発し、警備会社の待機要員が無用の出動をするというもので、このようなことが時折起きる。
【０００４】
そこで、警備システムのオン、オフをドアロック装置の開閉に関連付けて行うこととし、ドアロック装置の施錠状態に対応した警備システムのオン、オフを確実に認識し得るように音声表示を行い、この音声表示を基に警備員が警備システムをオフにしてから入室するものが提供されている（特許文献１）。
【特許文献１】特開２００６−１１２０４２号公報
【発明の開示】
【発明が解決しようとする課題】
【０００５】
特許文献１記載のドアロック装置の施錠状態表示用装置に使用されるドアの開閉状態検出用スイッチは、ドアのストライク金具上に絶縁シートを介して一対の固定接点が露出配置されたものである。このため、いくつかの問題点を有する。
【０００６】
すなわち、デッドボルトには、ドア枠に設けられてストライクボックスに回動動作を伴って出入りする鎌形デッドボルトもあるが、この鎌形デッドボルトが作動すると、スイッチの接点下に配された絶縁シートに当接して絶縁シートを損傷することがある。また、この直進型デッドボルトを検知するためのスイッチでは、鎌形デッドボルトは必ずしも検出されないという問題も含んでいる。
【０００７】
本発明は上述の点を考慮してなされたもので、鎌形であるなしに拘わらずデッドボルトの出入りを確実に検出できるドアロック装置の施錠状態検出装置を提供することを目的とする。
【課題を解決するための手段】
【０００８】
上記目的達成のため、本発明では、
警備システムが設けられた建物におけるドアロック装置のストライクボックスに設けられ、前記ドアロック装置のデッドボルトが前記ストライクボックス内に出入りすることを検出する施錠状態検出装置において、
前記デッドボルトが接、離することにより前記警備システムに前記ドアロック装置の施錠状態を示す舌片状弾性導電材と、前記ストライクボックスにおける前記ドアに対向する面の背後に配されて前記舌片状弾性導電材を支持する台座とを有する施錠状態検出手段をそなえた
ことを特徴とするドアロック装置の施錠状態検出装置、  を提供するものである。
【発明の効果】
【０００９】
本発明は上述のように、ドアに設けられたデッドボルトの出入りをストライク金具の背後に設けられた舌片状弾性導電材により検出することとしたため、鎌形を含む種々の形状のデッドボルトに対応することができる。
【発明を実施するための最良の形態】
【００１０】
以下、添付図面を参照して本発明の実施例を説明する。
【実施例１】
【００１１】
図１は、本発明の一実施例を示したもので、ドア枠１００のストライクボックスの開口部に、ストライク金具１０１を取り付けた状態として示されている。
【００１２】
ストライク金具１０１は、ドア（図示せず）の外周面と対向するドア枠１００の内周面に固定ネジ１０２により取り付けられる。そして、ストライクボックスの内部には、舌片状弾性導電材により構成されたデッドボルト検知用の接点１０３が設けられている。
【００１３】
この接点１０３は、対をなして警備システム（図示せず）に接続されており、デッドボルトが接触することにより対間が導通状態となり、離れることにより対間が非導通状態となる。
【００１４】
図２（ａ），（ｂ）および（ｃ）は、図１に示したストライクボックスを含むドア枠側およびこのストライクボックスと協働するドア側の各要素を示す図で、図２（ａ）は、ドア枠１００の内周端面を示す図、図２（ｂ）は図２（ａ）におけるＡ−Ａ線に沿って切断した断面を示す図、図２（ｃ）は図２（ａ）のＢ−Ｂ線に沿って切断した断面を示す図である。
【００１５】
これらの図に示すように、ドア２００の外周面はドア枠１００の内周面と対向しており、フロント２０１が固定ネジ２０２によって固定されていて、フロント２０１の中央部には、Ｕ字溝型部材２０３の溝内で回動する鎌形部材２０４を有する２つの部材からなるデッドボルトが設けられている。そして、このデッドボルトの下方位置にラッチボルト２０５が配されている。
【００１６】
デッドボルトは、Ｕ字溝型部材２０３が直進するか、または鎌形部材２０４が回動するかによりストライクボックス内に進入し、少なくとも一方が接点１０３に接触すると、接点１０３間を導通状態にする。これにより、接点１０３に接続された警備システム（図示せず）は、ドア２００がドア枠１００に対してロック状態になったことを検知することができる。
【００１７】
図３（ａ），（ｂ）は、ドア枠１００のストライク金具１０１を中心とする部分につき、図１とは角度を変えたり拡大したりして示したものである。ストライク金具１０１の中央部には、矩形の開口が設けられており、この開口の上方に接点１０３、接点台座１０４が見える。接点１０３は、接点台座１０４に支持されており、台座１０４はストライク金具１０１の背後のドア枠との間に固定されている。
【００１８】
接点１０３は２対４個構成であり、その先端と開口中心部との距離がそれぞれ異なっていて、デッドボルト（図示せず）が幅広のものでも幅狭のものでも接触するように構成されている。
【００１９】
図４（ａ），（ｂ）は、接点１０３および台座１０４のみを取り出して示した斜視図である。接点１０３は、台座１０４に設けられた接点差込部に差し込まれて固定される。接点１０３を台座１０４に嵌め込むように構成しておけば、ワンタッチで接点１０３を台座１０４に固定することができる。
【００２０】
接点１０３は、この台座１０４に固定するための基部１０３ａとデッドボルト接触部１０３ｂとを有する。デッドボルト接触部１０３ｂは、基部１０３ａの先端から直角方向に延び、かつ基部１０３ａの面と角度をなすように曲げられて台座１０４に組み付けられた状態で対をなすもう一つの接点１０３に接近するように形成されたデッドボルト接触部１０３ｂとを有する。デッドボルト接触部１０３ｂは、先端がデッドボルトの面を円滑に摺動するように丸みがつけられている。なお、デッドボルト接触部１０３ｂの付け根部分は、丸みを帯びさせてデッドボルト接触部１０３ｂに加わった力が一箇所に集中しないようにしてもよい。
【００２１】
台座１０４は、接点１０３を固定する部分１０４ａと直角をなすように平板部１０４ｂが形成されており、この平板部１０４ｂがストライク金具１０１（図１ないし図３）とドア枠１００との間に挟持されて支持される。
【００２２】
台座１０４は、平板部１０４ｂを図示想像線に沿って図示左右に２分する構造としてもよい。これにより、ストライクボックスの幅が大きい場合に、その幅に合わせて台座１０４を左右に分離して取り付けることができる。この場合、平板部１０４ｂの裏面を、例えば両面テープによりドア枠１００に貼着して固定する。
【００２３】
そして、平板部１０４ｂの形状、大きさは、分離するか否か、設置場所のスペースいかんに応じて適宜変更することができる。
【００２４】
図５（ａ），（ｂ）は、ドア２００のデッドボルト周りをドア正面側および背面側から見た状態を示している。図５では、デッドボルト２０３，２０４およびラッチボルト２０５が突出した状態を示している。すなわち、シリンダ２１３ａの中心部にある鍵穴２１３ｂに鍵（図示せず）を差し込んで回動するか、またはサムターン２１２を回動するかしてデッドボルトが突出した状態となり、ハンドル２１１に操作力が与えられていないことによりラッチボルト２０５が突出した状態となる。
【００２５】
図６は、デッドボルトのＵ字溝型部材２０３および鎌形部材２０４の出没状態を示したものである。Ｕ字溝型部材２０３は直進的に出没し、鎌形部材２０４は回動して出没する。実線はドア２００内にほぼ没入した状態を示し、想像線は突出した状態を示している。
【図面の簡単な説明】
【００２６】
【図１】本発明の一実施例のドア枠に設置した状態の外観を示す斜視図。
【図２】図２（ａ）は、ドア枠１００の内周端面を示す図、図２（ｂ）は図２（ａ）におけるＡ−Ａ線に沿って切断した断面を示す図、図２（ｃ）は図２（ａ）のＢ−Ｂ線に沿って切断した断面を示す図。
【図３】図３（ａ），（ｂ）は、ドア枠１００のストライク金具１０１を中心とする部分につき、図１とは角度を変えたり拡大したりして示した斜視図。
【図４】図４（ａ），（ｂ）は、接点１０３および台座１０４のみを取り出して示した斜視図。
【図５】図５（ａ），（ｂ）は、ドア２００のデッドボルト周りをドア正面側および背面側から見た状態を示した斜視図。
【図６】図６は、デッドボルトのＵ字溝型部材２０３および鎌形部材２０４の出没状態を示した説明図。
【符号の説明】
【００２７】
１００  ドア枠
１０１  ストライク金具
１０２  固定ネジ
１０３  接点
１０４  台座
２００  ドア
２０１  フロント
２０２  固定ネジ
２０３  Ｕ字溝型部材
２０４  鎌形部材
２０５  ラッチボルト
２１１  ハンドル
２１２  サムターン
２１３  シリンダ錠。
【図１】
2008174937.tif 000003
【図２】
2008174937.tif 000004
【図３】
2008174937.tif 000005
【図４】
2008174937.tif 000006
【図５】
2008174937.tif 000007
【図６】
2008174937.tif 000008